(57)【特許請求の範囲】
【請求項１】
電話網を介して送信宛先との間でファクシミリ通信を実行するファクシミリ通信手段と、
インターネット経由で画像データの通信を行うインターネット通信手段と、
前記ファクシミリ通信手段によって送信宛先と交換する手順信号により、当該送信宛先が前記インターネット経由で画像データの通信を行う機能を有しているか否か判定する判定手段と、
前記ファクシミリ通信手段により送信宛先に送信すべき手順信号中に、前記インターネット通信手段によって画像データを受信するためのインターネットアドレスを設定する設定手段とを有し、
前記ファクシミリ通信手段は、送信宛先に対する発呼処理に引き続き、前記判定手段により当該送信宛先が前記インターネット経由で画像データの通信を行う機能を有していると判定された場合、前記設定手段でインターネットアドレスが設定された手順信号の送出を行うことを特徴とするインターネットファクシミリ装置。
【請求項２】
前記インターネット通信手段は、画像データを添付ファイルとしたＥメールデータを、Ｅメール通信手順に従って送受信し、前記設定手段は前記インターネットアドレスとしてＥメールアドレスを設定することを特徴とする請求項１に記載のインターネットファクシミリ装置。
【請求項３】
前記ファクシミリ通信手段は、Ｇ３ファクシミリ手順に従ってファクシミリ通信を実行することを特徴とする請求項１または２に記載のインターネットファクシミリ装置。
【請求項４】
送信宛先に関する情報を記憶する記憶手段を有し、前記記憶手段は前記判定手段で肯定判定が行われた場合に当該送信宛先に対応付けてその旨を記憶することを特徴とする請求項１乃至３のいずれかに記載のインターネットファクシミリ装置。
【請求項５】
前記ファクシミリ通信手段によって送信宛先からインターネットアドレスを取得する取得手段を有し、前記記憶手段は前記取得手段で取得したインターネットアドレスを当該送信宛先のインターネットアドレスとして記憶することを特徴とする請求項４に記載のインターネットファクシミリ装置。
【請求項６】
前記記憶手段は共通の送信宛先に対し、前記ファクシミリ通信手段で送信するための電話番号及び前記インターネット通信手段で送信するためのインターネットアドレスを記憶可能であり、画像データの送信に際しては前記ファクシミリ通信手段で送信するか前記インターネット通信手段で送信するか選択可能であることを特徴とする請求項４または５に記載のインターネットファクシミリ装置。
【請求項７】
電話網を介して送信宛先との間でファクシミリ通信を実行するファクシミリ機能と、インターネット経由で画像データの通信を行うインターネット通信機能とを有するインターネットファクシミリ装置によるインターネットアドレスの報知方法であって、
前記ファクシミリ機能によって送信宛先と交換する手順信号により、当該送信宛先が前記インターネット経由で画像データを通信する機能を有しているか判定する判定工程と、
前記ファクシミリ通信機能により送信宛先に送信すべき手順信号中に、前記インターネット通信機能によって前記インターネットファクシミリ装置が画像データを受信するためのインターネットアドレスを設定する設定工程とを有し、
前記ファクシミリ通信機能による発呼処理に引き続き、前記判定工程において当該送信宛先が前記インターネット経由で画像データの通信を行う機能を有していると判定された場合、前記設定工程でインターネットアドレスが設定された手順信号の送出を行うことを特徴とするインターネットアドレスの報知方法。
【請求項８】
電話網を介して送信宛先との間でファクシミリ通信を実行するファクシミリ機能と、インターネット経由で画像データの通信を行うインターネット通信機能とを有するインターネットファクシミリ装置において、インターネットアドレスの報知プログラムを含む制御プログラムをコンピュータ読出し可能に格納する記憶媒体であって、
前記報知プログラムが、
前記ファクシミリ機能によって送信宛先と交換する手順信号により、当該送信宛先が前記インターネット経由で画像データを通信する機能を有しているか判定する判定工程と、
前記ファクシミリ通信機能により送信宛先に送信すべき手順信号中に、前記インターネット通信機能によって前記インターネットファクシミリ装置が画像データを受信するためのインターネットアドレスを設定する設定工程とを有し、
前記ファクシミリ通信機能による発呼処理に引き続き、前記判定工程において当該送信宛先が前記インターネット経由で画像データの通信を行う機能を有していると判定された場合、前記設定工程でインターネットアドレスが設定された手順信号の送出を行うことを特徴とする記憶媒体。
【発明の詳細な説明】
【０００１】
【発明の属する技術分野】
本発明は、電話網を介してファクシミリとして送受信すると共に、インターネットを介してインターネットファクシミリで画像の送受信を行なうインターネットファクシミリ装置に関するものである。
【０００２】
【従来の技術】
最近、電話網を介してＧ３ファクシミリとして送受信し、ＬＡＮに接続して通信費の不要なインターネットファクシミリ（以下、インターネットＦＡＸとも言う）システムにより、メッセージに画像ファイルを付加して送受信を行なうことが出来るようになった。
【０００３】
【発明が解決しようとする課題】
しかしながら、従来のシステムでは、（１）Ｇ３ファクシミリ交信中に相手にインターネットＦＡＸ機能があることを知ることができない、又、（２）Ｇ３ファクシミリ交信中に相手のインターネットアドレスを知ることができない、等の制限があったために、例え相手がインターネットＦＡＸ機能を有していても、Ｇ３ファクシミリモードからＬＡＮに接続して通信費の不要なインターネットＦＡＸモードに切り替えることが出来ないし、又、オペレータによるモード切り替えやインターネットアドレスの設定なしには、モードの切り替えが出来ないという問題点があった。
【０００４】
本発明は、前記従来技術の課題を解決するもので、（１）Ｇ３ファクシミリモードにおいて、互いにインターネットＦＡＸ機能の有無を知ることができ、又、（２）Ｇ３ファクシミリモードにおいて、互いにインターネットアドレスを伝えることが出来るようにすることで、インターネットアドレスの受信後には、同じ宛先への送信時に、ＬＡＮに接続して通信費の不要なインターネットＦＡＸモードに切り替えて送信することの出来る、Ｇ３ファクシミリ機能及びインターネットＦＡＸ機能を有するインターネットＦＡＸ装置を提供することを目的とする。
【０００５】
更に、Ｇ３ファクシミリモードでインターネットアドレスを受信し、受信したインターネットアドレスを管理することの出来る、Ｇ３ファクシミリ機能及びインターネットＦＡＸ機能を有するインターネットＦＡＸ装置を提供することを目的とする。
【０００６】
【課題を解決するための手段】
前記目的を達成するために、本発明のインターネットファクシミリ装置は、電話網を介して送信宛先との間でファクシミリ通信を実行するファクシミリ通信手段と、インターネット経由で画像データの通信を行うインターネット通信手段と、前記ファクシミリ通信手段によって送信宛先と交換する手順信号により、当該送信宛先が前記インターネット経由で画像データの通信を行う機能を有しているか否か判定する判定手段と、前記ファクシミリ通信手段により送信宛先に送信すべき手順信号中に、前記インターネット通信手段によって画像データを受信するためのインターネットアドレスを設定する設定手段とを有し、前記ファクシミリ通信手段は、送信宛先に対する発呼処理に引き続き、前記判定手段により当該送信宛先が前記インターネット経由で画像データの通信を行う機能を有していると判定された場合、前記設定手段でインターネットアドレスが設定された手順信号の送出を行うことを特徴とする。
【０００７】
ここで、前記インターネット通信手段は、画像データを添付ファイルとしたＥメールデータを、Ｅメール通信手順に従って送受信し、前記設定手段は前記インターネットアドレスとしてＥメールアドレスを設定する。また、前記ファクシミリ通信手段は、Ｇ３ファクシミリ手順に従ってファクシミリ通信を実行する。また、送信宛先に関する情報を記憶する記憶手段を有し、前記記憶手段は前記判定手段で肯定判定が行われた場合に当該送信宛先に対応付けてその旨を記憶する。また、前記ファクシミリ通信手段によって送信宛先からインターネットアドレスを取得する取得手段を有し、前記記憶手段は前記取得手段で取得したインターネットアドレスを当該送信宛先のインターネットアドレスとして記憶する。また、前記記憶手段は共通の送信宛先に対し、前記ファクシミリ通信手段で送信するための電話番号及び前記インターネット通信手段で送信するためのインターネットアドレスを記憶可能であり、画像データの送信に際しては前記ファクシミリ通信手段で送信するか前記インターネット通信手段で送信するか選択可能である。
【００１２】
又、本発明のインターネットファクシミリ装置によるインターネットアドレスの報知方法は、電話網を介して送信宛先との間でファクシミリ通信を実行するファクシミリ機能と、インターネット経由で画像データの通信を行うインターネット通信機能とを有するインターネットファクシミリ装置によるインターネットアドレスの報知方法であって、前記ファクシミリ機能によって送信宛先と交換する手順信号により、当該送信宛先が前記インターネット経由で画像データを通信する機能を有しているか判定する判定工程と、前記ファクシミリ通信機能により送信宛先に送信すべき手順信号中に、前記インターネット通信機能によって前記インターネットファクシミリ装置が画像データを受信するためのインターネットアドレスを設定する設定工程とを有し、前記ファクシミリ通信機能による発呼処理に引き続き、前記判定工程において当該送信宛先が前記インターネット経由で画像データの通信を行う機能を有していると判定された場合、前記設定工程でインターネットアドレスが設定された手順信号の送出を行うことを特徴とする。
【００１４】
又、本発明の記憶媒体は、電話網を介して送信宛先との間でファクシミリ通信を実行するファクシミリ機能と、インターネット経由で画像データの通信を行うインターネット通信機能とを有するインターネットファクシミリ装置において、インターネットアドレスの報知プログラムを含む制御プログラムをコンピュータ読出し可能に格納する記憶媒体であって、前記報知プログラムが、前記ファクシミリ機能によって送信宛先と交換する手順信号により、当該送信宛先が前記インターネット経由で画像データを通信する機能を有しているか判定する判定工程と、前記ファクシミリ通信機能により送信宛先に送信すべき手順信号中に、前記インターネット通信機能によって前記インターネットファクシミリ装置が画像データを受信するためのインターネットアドレスを設定する設定工程とを有し、前記ファクシミリ通信機能による発呼処理に引き続き、前記判定工程において当該送信宛先が前記インターネット経由で画像データの通信を行う機能を有していると判定された場合、前記設定工程でインターネットアドレスが設定された手順信号の送出を行うことを特徴とする。
【００１６】
【発明の実施の形態】
以下、本発明の実施の形態について図面を参照しながら説明する。
【００１７】
＜本実施の形態のインターネットＦＡＸ装置の構成例＞
図１は本実施の形態のインターネットＦＡＸ装置を含む画像通信ネットワークの一例を示すブロック図である。
【００１８】
図１において、１は画像を送る送信側のインターネットＦＡＸ装置である。２は画像を受け取る受信側のインターネットＦＡＸ装置であり、構成は送信側のインターネットＦＡＸ装置１と同じ構成である。３はＧ３ＦＡＸの交信を行なう電話網である。４はＥメールを運ぶインターネットである。
【００１９】
インターネットＦＡＸ装置１及び２は、次のような構成要素を有する。尚、インターネットＦＡＸ装置２の内部構造は送信側と同じなので図示しない。
【００２０】
５はインターネットＦＡＸ装置を制御するＣＰＵである。６は送信する原稿を読み込むスキャナ部である。７は受信した画像をプリント出力するプリンタ部である。８はＧ３ＦＡＸモードで交信するＦＡＸモデムである。９は電話回線との接続を制御するＮＣＵで在る。１０はインターネットに接続する、例えばＥｔｈｅｒｎｅｔインターフェースである。１１はＣＰＵ５が実行する以下の図６〜図１０に示す制御用のソフトプログラムが格納されているＲＯＭである。１２は制御用のソフトプログラムのワーク及び図５の宛先データを格納するＲＡＭである。１３は宛先を入力するワンタッチボタンを備えた操作部である。１４はフロッピーディスクやＣＤ−ＲＯＭ等の外部記憶部である。
【００２１】
図１において、インターネットＦＡＸ装置１が送信側として動作し、インターネットＦＡＸ装置２が受信側として動作する場合を説明する。
【００２２】
電話網３は、Ｇ３ファクシミリ通信のために使われる。インターネット４は、インターネットのＥメールを通信するためのネットワークである。ＣＰＵ５は、インターネットＦＡＸ装置１を制御するＣＰＵである。スキャナ６は、原稿を読み込み画像データに変換する。プリンタ７は、画像データを記録紙に画像として印字する。モデム８は、Ｇ３ＦＡＸの手順信号及び画像信号を変復調する。ＮＣＵ９は、電話網３に接続され回線の発呼、着呼及びアナログ信号のインターフェースを行なう。Ｅｔｈｅｒｎｅｔ１０は、インターネット４に接続されデジタル信号をＴＣＰ／ＩＰのパケットとしてやり取りする。ＲＯＭ１１は、インターネットＦＡＸ装置１の制御プログラム及び制御データが格納されておりＣＰＵ５で実行される。ＲＡＭ１２は、インターネットＦＡＸ装置１の制御プログラムのワークエリアとして使用され、及び制御データ及び宛先データが格納されておりＣＰＵ５でアクセスされる。操作部１３は、ワンタッチボタンが装備され送信時に宛先指示がされる。外部記憶部１４は、制御用のソフトプログラムは外部記憶部１４からＲＡＭ１２にロードされてＣＰＵ５により実行される構成であってもよい。又、図５の宛先データが外部記憶部１４に格納されてもよい。
【００２３】
図４に宛先データのフォーマット例を示す。
【００２４】
ワンタッチ番号毎に、Ｇ３ＦＡＸ機能の有無（無は未設定を含む）、電話番号、インターネットＦＡＸ機能の有無（無は未設定を含む）、インターネットアドレス、相手先略称が、ＲＡＭ１２にテーブル形式で格納されている。操作部１３でワンタッチボタンが押下されると、対応するワンタッチ番号の情報を、ＣＰＵ５が読み出すことが出来るように構成されている。
【００２５】
図２により、受信側のインターネットＦＡＸ装置から送出されるＴ．３０のＮＳＦ信号のフォーマットの内容を説明する。
【００２６】
ＮＳＦのＦＩＦフォーマットは２５オクテットから構成されており、第１及び第２オクテットに国識別コードが格納される。第３オクテットにメーカーコードが格納され、第４オクテットに受信側のインターネットＦＡＸ機能の有無を示す。０００００００１はインターネットＦＡＸ機能有りを示し、００００００００はインターネットＦＡＸ機能無しを示す。第５オクテットから第２５オクテットに受信側のインターネットＦＡＸ装置のインターネットアドレスが格納される。すなわち、受信側となったインターネットＦＡＸ装置は、ＮＳＦの第４オクテットに０００００００１を、第５オクテットから第２５オクテットにインターネットアドレスを格納して、ＮＳＦ信号を送信側に送出する。一方、Ｇ３及びＧ４ＦＡＸ装置は第４オクテットを使用しないので、００００００００が送出される。
【００２７】
図３により、送信側のインターネットＦＡＸ装置から送出されるＴ．３０のＮＳＳ信号のフォーマットの内容を説明する。
【００２８】
ＮＳＳのＦＩＦのフォーマットは２５オクテットから構成されており、第１及び第２オクテットに国識別コードが格納される。第３オクテットにメーカーコードが格納され、第４オクテットに受信側のインターネットＦＡＸ装置のインターネットＦＡＸモードへの切り替え指示の有無を示す。０００００００１はインターネットＦＡＸモードへの切り替え指示を示し、００００００００はインターネットＦＡＸモードへの切り替え指示無しを示す。第５オクテットから第２５オクテットに送信側のインターネットＦＡＸ装置のインターネットアドレスが格納される。すなわち、送信側のインターネットＦＡＸ装置は、ＮＳＳの第４オクテットを０００００００１として送信相手へインターネットＦＡＸモードへ切り替え指示を出し、第５オクテットから第２５オクテットにより自分のインターネットアドレスを送信相手に知らせる。
【００２９】
＜本実施の形態のインターネットＦＡＸ装置の送受信例＞
上記の構成において、以下に、画像のＧ３ファクシミリモードでの送受信の例の概略を説明する。
【００３０】
送信側のインターネットＦＡＸ装置１のスキャナ部６に原稿をセットし、操作部１３のワンタッチボタンを押下する。指示された宛先に従い宛先データをＲＡＭ１２から読み出すが、Ｇ３ファクシミリモードが指示されると電話番号がＲＡＭ１２から読み出され、ＮＣＵ９で電話網３を経由して受信側のインターネットＦＡＸ装置２を呼び出す。
【００３１】
又、送信側のインターネットＦＡＸ装置１のスキャナ部６から画像が読み込まれ、ＣＰＵ５により制御用のソフトプログラムが実行され、画像データに変換される。
【００３２】
回線が接続されると、受信側のインターネットＦＡＸ装置２は、通常のＧ３ＦＡＸ手順に従い自動受信を開始する。すなわち、送信側のインターネットＦＡＸ装置１からの手順信号は、モデム８で変復調され電話網３を経由して受信側のインターネットＦＡＸ装置２に送られる。
【００３３】
まず、ＩＴＵ−ＴのＴ３０の手順に従い初期識別が行なわれる。初期識別が終わると、ＣＰＵ５の制御用のソフトプログラムの実行により、画像データが符号化されて受信側のインターネットＦＡＸ装置２に送られる。受信側のインターネットＦＡＸ装置２では、受信された画像データがプリンタに送られ印刷される。
【００３４】
送信側のインターネットＦＡＸ装置１は、受信側のインターネットＦＡＸ装置２から確認信号を受け取ると、Ｇ３ＦＡＸモードを終了する。
【００３５】
次に、画像ファイルのインターネットＦＡＸモードでの送受信の例の概略を説明する。尚、本実施の形態においてはＥメールで送信する方式を例に、説明する。
【００３６】
送信側のインターネットＦＡＸ装置１のスキャナ部６に原稿をセットし、操作部１３のワンタッチボタンを押下する。操作部１３で指示された宛先に従い宛先データをＲＡＭ１２から読み出すが、インターネットＦＡＸモードと指示されるとインターネットアドレスがＲＡＭ１２から読み出される。
【００３７】
又、送信側のインターネットＦＡＸ装置１のスキャナ部６で画像読み込まれ、ＣＰＵ５の制御用のソフトプログラムの実行により画像データに変換される。次に、ＣＰＵ５の制御用のソフトプログラムの実行により、画像データはＴＩＦＦファイルに変換され、Ｅメールの添付ファイルとして構成される。
【００３８】
Ｅメールの宛先に、受信側のインターネットＦＡＸ装置２のインターネットアドレスがセットされる。Ｅメールの送信を行なうＳＭＴＰのプロトコルを使用して、Ｅｔｈｅｒｎｅｔからインターネットを経由して、画像データを含むＥメールが受信側のインターネットＦＡＸ装置２に送られる。
【００３９】
受信側のインターネットＦＡＸ装置２は、通常のＳＭＴＰのプロトコルに従いＥメールの受信を行なう。Ｅメールの添付ファイルとしてＴＩＦＦファイルを検出すると、ＴＩＦＦファイルは画像データに変換され、画像データはプリンタに送られ印字される。
【００４０】
＜本実施の形態のインターネットＦＡＸ装置の動作例の説明＞
以上のように、Ｇ３ファクシミリモード及びインターネットＦＡＸモードが動作するように構成されたインターネットＦＡＸ装置について、図２に示すＴ．３０のＮＳＦのフォーマット、図３に示すＴ．３０のＮＳＳのフォーマット、図４に示す宛先データのフォーマット、図５に示すモード選択のフローチャート、図６に示すインターネットＦＡＸ装置のＧ３送信動作のフローチャート、図７に示すインターネットＦＡＸ装置のＧ３受信動作のフローチャート、図８に示すインターネットＦＡＸ装置のインターネットＦＡＸ送信動作のフローチャート、図９に示すインターネットＦＡＸ装置のインターネットＦＡＸ受信動作のフローチャートを用いて、本実施の形態のインターネットＦＡＸ装置の動作を説明する。尚、本例のインターネットＦＡＸ装置は通信相手がインターネットＦＡＸ装置でないと判断した場合は、常にＧ３ＦＡＸの交信を行なう。
【００４１】
本実施の形態でのインターネットＦＡＸ装置のＧ３送信の手順の概略を説明する。基本的には標準のＴ．３０の手順をベースに動作するので、本実施の形態での追加部分のみを説明する。
【００４２】
受信側装置のＮＳＦを受信すると、ＮＳＦの第４オクテットのインターネットＦＡＸ機能の有無が調べられ、インターネットＦＡＸ機能の有り（０００００００１）の場合には、第５オクテット以降のインターネットアドレスを宛先テーブルに格納する。
【００４３】
ＮＳＦの判断から受信側装置がインターネットＦＡＸ機能有りの場合には、ＮＳＳ信号の第４オクテットのインターネットＦＡＸモード切り替え指示をセット（０００００００１）し、第５オクテット以降に送信側装置のインターネットアドレスをセットする。
【００４４】
ＮＳＳ送信後にＣＦＲを受信すると、通常のＴ．３０手順に従い、トレーニング信号に引き続きＦＡＸメッセージが送出される。
【００４５】
そして、以降の当該受信側装置への送信は、ＮＳＦにより受信したインターネットアドレスを使って、インターネットＦＡＸ送信で行われる。
【００４６】
本実施の形態でのインターネットＦＡＸ装置でのＧ３受信の手順の概略を説明する。基本的には、標準のＴ．３０手順をベースに動作するので、本実施の形態での追加部分のみを説明する。
【００４７】
受信側装置は、ＮＳＦ送信時に、自機にインターネットＦＡＸの能力があるので、ＮＳＦの第４オクテットをセット（０００００００１）する。第５オクテット以降に自機のインターネットアドレスを格納する。
【００４８】
ＮＳＳを受信した時に、第４オクテットのインターネットＦＡＸモードへ移行指示が判定され、移行指示の場合（０００００００１）には、ＮＳＳの第５オクテット以降のインターネットアドレスが宛先テーブルに格納される。通常のＧ３受信を行なう。
【００４９】
そして、以降の当該送信側装置への送信は、ＮＳＳにより受信したインターネットアドレスを使って、インターネットＦＡＸ送信で行われる。
【００５０】
（本実施の形態のインターネットＦＡＸ装置の動作フローチャート）
図５は、本実施の形態のインターネットＦＡＸ装置のモード選択のフローチャートであり、Ｇ３ファクシミリモードとインターネットＦＡＸモードの選択手順例を説明する。
【００５１】
送信時に操作部でワンタッチボタンが押下されると、ステップＳ６１でワンタッチボタンに対応する宛先が調べられる。ステップＳ６２でＧ３ファクシミリモードが指定されているか否かが判定され、ステップＳ６３でインターネットＦＡＸモードが指定されているか否かが判定される。
【００５２】
インターネットＦＡＸモードが指定されていると、ステップＳ６４であらかじめ決められた優先順位が調べられ、インターネットＦＡＸモードが優先であれば、ステップＳ６５でインターネットＦＡＸモードが選択される。Ｇ３ファクシミリモードが優先であれば、ステップＳ６６でＧ３ファクシミリモードが選択される。ステップＳ６３でインターネットＦＡＸモードが指定されていないと、ステップＳ６６に進んでＧ３ファクシミリモードが選択される。
【００５３】
ステップＳ６２でＧ３ファクシミリモードが指定されていない場合は、ステップＳ６７でインターネットＦＡＸモードが指定されているか否かが判定され、指定されていればステップＳ６５に進んでインターネットＦＡＸモードが選択されるが、指定されていないならば宛先が無いのでステップＳ６８の宛先モードエラーとなる。
【００５４】
図６は、本実施の形態のインターネットＦＡＸ装置のＧ３送信動作のフローチャートであり、Ｇ３ファクシミリモードの処理の送信側の処理手順例を説明する。
【００５５】
例えば、原稿がセットされワンタッチボタン０１が操作部で押下される。図５の宛先テーブルの宛先０１が調べられ、インターネットＦＡＸの能力が無いと判定された宛先０１に対しては、以下のような電話網に発呼されＧ３ファクシミリモードでの送信が開始される。尚、Ｇ３ＦＡＸ及びインターネットＦＡＸの能力について、無いと判定される場合には、能力はあるが未設定である場合も含まれる。
【００５６】
発呼後、ステップＳ７１で受信側からのＮＳＦを受信すると、ステップＳ７２で自機のインターネットＦＡＸ機能が調べられ、自機でインターネットＦＡＸが可能とセットされていると、ステップＳ７３で受信したＮＳＦの第４オクテットのインターネットＦＡＸ機能の有無が調べられる。尚、本例はインターネットＦＡＸ装置のフローチャートであり、現状ではインターネットＦＡＸの送信専用、受信専用は考えられず、インターネットＦＡＸは当然可能であるので、ステップＳ７２は省くことができる。
【００５７】
ＮＳＦの第４オクテットがインターネットＦＡＸ機能の有り（０００００００１）の場合には、ステップＳ７４で宛先テーブルの対応する宛先０１のインターネットＦＡＸ機能を有りにセットし、ステップＳ７５で第５オクテット以降のインターネットアドレスを、宛先テーブルの対応する宛先０１のインターネットアドレスに格納する。
【００５８】
ステップＳ７６でＮＳＳ信号の第４オクテットにインターネットＦＡＸモードへの切り替え指示をセットし、ステップＳ７７で第５オクテット以降に自機のインターネットアドレスをセットする。ステップＳ７８で自機の電話番号、例えば（０９８−７６５−４３２１）をＴＳＩに格納する。ステップＳ７９でＴＳＩ／ＮＳＳ送信後に、ステップＳ８０で通常のＴ．３０手順に従いＦＡＸメッセージを送出する。
【００５９】
図７は、本実施の形態のインターネットＦＡＸ装置のＧ３受信動作のフローチャートであり、Ｇ３ファクシミリモードの受信側の動作手順例を説明する。
【００６０】
まず、電話網から呼び出しがあるとＮＣＵが着呼し、Ｇ３の自動受信手順を開始する。
【００６１】
ステップＳ８１で自機のインターネットＦＡＸ機能に応じて、インターネットＦＡＸ機能が有ればステップＳ８２でＮＳＦの第４オクテットをセットする。尚、図７のステップＳ７２同様にステップＳ８１の判定も省くことができる。ステップＳ８３で第５オクテット以降に自機のインターネットアドレスを格納する。ステップＳ８４でＤＩＳパラメータをセットする。ステップＳ８５でＮＦＳ／ＤＩＳを送信する。
【００６２】
ステップＳ８６でＴＳＩを受信し、ステップＳ８７でＮＳＳを受信すると、ステップＳ８８でＮＳＳの第４オクテットのインターネットＦＡＸモードへ移行指示が判定される。移行指示の場合には、ステップＳ８９で図５の宛先テーブルでＴＳＩ、例えば（０９８−７６５−４３２１）と同じ宛先０３が調べられ、ステップＳ９０で宛先テーブルのワンタッチ０３のインターネット機能有りがセットされ、ステップＳ９１でＮＳＳの第５オクテット以降のインターネットアドレスが、宛先テーブルのワンタッチ０３の対応位置に格納される。
【００６３】
ステップＳ９２で通常のＴ３０手順を行なう。
【００６４】
以降の送信時に同じ宛先０３が指示されると、図４の宛先テーブルの０３にインターネットＦＡＸ機能有りとインターネットアドレスがセットされているので、図５の宛先モード選択のフローチャートに従い、インターネットＦＡＸモードが選択されインターネットアドレスへＥメールで送信される。
【００６５】
図８は、本実施の形態のインターネットＦＡＸ装置のインターネットＦＡＸ送信動作のフローチャートであり、インターネットＦＡＸの処理の送信側の動作手順例を説明する。
【００６６】
ステップＳ９４でインターネットＦＡＸモードを開始し、ステップＳ９５でＥメールの宛先に図４の宛先テーブルのインターネットアドレスをセットし、ステップＳ９６で画像ファイルをＴＩＦＦファイルに変換し、ステップＳ９７でＥメールにＴＩＦＦファイルを添付し、ステップＳ９８でＳＭＴＰでＥメールを送信する。ステップＳ９９で待機状態に戻る。
【００６７】
図９は、本実施の形態のインターネットＦＡＸ装置のインターネットＦＡＸ受信動作のフローチャートであり、インターネットＦＡＸモードの受信側の動作手順例を説明する。
【００６８】
ステップＳ１０１でＳＭＴＰによるＥメールの受信が行なわれ、ステップＳ１０２でＥメールの添付ファイルがチェックされ、ステップＳ１０３で添付ファイルがＴＩＦＦであるか否かがチェックされ、ＴＩＦＦであるとステップＳ１０４でＴＩＦＦデータは画像データに変換され、ステップＳ１０５で画像データはプリンタで出力され、ステップＳ１０６でＥメール受信ＬＯＧを作成して、ステップＳ１０７で待機に戻る。
【００６９】
ステップＳ１０２でファイルが無い場合、及びステップＳ１０３でファイルがＴＩＦＦで無い場合は、ステップＳ１０６に進んでＥメール受信ＬＯＧを作成して、ステップＳ１０７で待機に戻る。
【００７０】
以上のように、送信側のインターネットＦＡＸ装置からは、インターネットＦＡＸの機能とインターネットアドレスがＮＳＳで送信され、受信側のインターネットＦＡＸ装置で宛先データに格納しておくことにより、受信側のインターネットＦＡＸ装置からの次回の送信では、送信側に対してインターネットＦＡＸで送信することができる。又、受信側のインターネットＦＡＸ装置からは、インターネットＦＡＸの機能とインターネットアドレスがＮＳＦで送信され、送信側のインターネットＦＡＸ装置で宛先データに格納しておくことにより、送信側のインターネットＦＡＸ装置からの次回の送信で同じ宛先に対してインターネットＦＡＸで送信することができる。
【００７１】
本実施の形態では、予め決められた宛先の優先順位に従いモードを選択したが、操作部に表示を行ない、ユーザにモードを選択させることも可能である。
【００７２】
又、本実施の形態ではインターネットの能力とアドレスをＮＳＳ信号に格納したが、他の信号を使用して交信することは可能である。
【００７３】
又、本実施の形態ではインターネットＦＡＸはＥメールで交信する場合を説明したが、リアルタイムでＴ．３０フレームや画像データをＴＣＰ／ＩＰのパケットで送受信を行なう方式で行なっても、同じ効果が得られる。
【００７４】
なお、本発明は、複数の機器（例えばホストコンピュータ，インタフェイス機器，リーダ，プリンタなど）から構成されるシステムに適用しても、一つの機器からなる装置に適用してもよい。
【００７５】
また、本発明の目的は、前述した実施形態の機能を実現するソフトウェアのプログラムコードを記録した記憶媒体を、システムあるいは装置に供給し、そのシステムあるいは装置のコンピュータ（またはＣＰＵやＭＰＵ）が記憶媒体に格納されたプログラムコードを読出し実行することによっても、達成されることは言うまでもない。この場合、記憶媒体から読出されたプログラムコード自体が前述した実施形態の機能を実現することになり、そのプログラムコードを記憶した記憶媒体は本発明を構成することになる。
【００７６】
プログラムコードを供給するための記憶媒体としては、例えば、フロッピディスク，ハードディスク，光ディスク，光磁気ディスク，ＣＤ−ＲＯＭ，ＣＤ−Ｒ，磁気テープ，不揮発性のメモリカード，ＲＯＭなどを用いることができる。
【００７７】
また、コンピュータが読出したプログラムコードを実行することにより、前述した実施形態の機能が実現されるだけでなく、そのプログラムコードの指示に基づき、コンピュータ上で稼働しているＯＳ（オペレーティングシステム）などが実際の処理の一部または全部を行い、その処理によって前述した実施形態の機能が実現される場合も含まれることは言うまでもない。
【００７８】
さらに、記憶媒体から読出されたプログラムコードが、コンピュータに挿入された機能拡張ボードやコンピュータに接続された機能拡張ユニットに備わるメモリに書込まれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【００７９】
本発明を上記記憶媒体に適用する場合、その記憶媒体には、先に説明したフローチャートに対応するプログラムコードを含むプログラムを格納することになる。
【００８０】
以上のように、本実施形態によれば、（１）Ｇ３ファクシミリモードにおいて、互いにインターネットＦＡＸ機能の有無を知ることができ、又、（２）Ｇ３ファクシミリモードにおいて、互いにインターネットアドレスを伝えることが出来るようにすることで、インターネットアドレスの受信後には、同じ宛先への送信時に、ＬＡＮに接続して通信費の不要なインターネットＦＡＸモードに切り替えて送信することの出来る、Ｇ３ファクシミリ機能及びインターネットＦＡＸ機能を有するインターネットＦＡＸ装置を提供できる。
【００８１】
更に、Ｇ３ファクシミリモードでインターネットアドレスを受信し、受信したインターネットアドレスを管理することの出来る、Ｇ３ファクシミリ機能及びインターネットＦＡＸ機能を有するインターネットＦＡＸ装置を提供できる。
【発明の効果】
以上のように、本発明によれば、ファクシミリ通信で用いる手順信号によって送信宛先がインターネット経由で画像データを通信する機能を有していると判定された場合、自装置がインターネット経由で画像データを受信するためのインターネットアドレスを手順信号に設定して送信宛先に送出するので、既存のファクシミリ通信で使用可能な手順信号を用いてインターネットアドレスを報知することができ、これを受けたインターネット経由で画像データの通信可能な送信宛先は以降の通信においてこのインターネットアドレスを用いてインターネット経由で画像データを送信することが可能となる。
【００８２】
【図面の簡単な説明】
【図１】図１は本実施の形態のインターネットＦＡＸ装置を含む画像通信ネットワークの一例を示すブロック図である。
【図２】図２は本実施の形態におけるＴ．３０のＮＳＦのフォーマット例を示す図である。
【図３】図３は本実施の形態におけるＴ．３０のＮＳＳのフォーマット例を示す図である。
【図４】図４は本実施の形態の宛先データのフォーマット例を示す図である。
【図５】図５は本実施の形態のインターネットＦＡＸ装置のモード選択例を示すフローチャート、
【図６】図６は本実施の形態のインターネットＦＡＸ装置のＧ３送信動作例を示すフローチャートである。
【図７】図７は本実施の形態のインターネットＦＡＸ装置のＧ３受信動作例を示すフローチャートである。
【図８】図８は本実施の形態のインターネットＦＡＸ装置のインターネットＦＡＸ送信動作例を示すフローチャートである。
【図９】図９は本実施の形態のインターネットＦＡＸ装置のインターネットＦＡＸ受信動作例を示すフローチャートである。
【図１】
0003943693.tif 000002
【図２】
0003943693.tif 000003
【図３】
0003943693.tif 000004
【図４】
0003943693.tif 000005
【図５】
0003943693.tif 000006
【図６】
0003943693.tif 000007
【図７】
0003943693.tif 000008
【図８】
0003943693.tif 000009
【図９】
0003943693.tif 000010